(57)【要約】 【課題】従来の照明器具では、グローブを取り付ける際には、カバーも同時に手で保持する必要があり、ソケットリングで支持するまでは手を離すことができず取付性の面で不便であった点を解消する。【解決手段】照明器具１は、ランプＳが螺合されるソケット２Ａが設けられたアダプタ２と、このアダプタ２全体を覆うカバー３とを備え、アダプタ２とカバー３の内部に、互いを係合するための係合部（係止片２ａ，２ｂ及び爪３ａ，３ｂ）を設けることとした。【効果】カバーを独立してアダプタに取り付けておくことができるので、グローブの取り付けの際に、該グローブとカバーとを手で保持する必要がなく、グローブを（片）手で保持して取付作業が行える。【選択図】  図１
0003132571.tif 000002
【実用新案登録請求の範囲】
【請求項１】
取付面に設けられた配線器具に電気的かつ物理的に接続され、ランプが螺合されるソケットが設けられたアダプタと、このアダプタ全体を覆うカバーとを備えた照明器具において、前記アダプタと前記カバーの内部とに、互いを係合するための係合部を設けたことを特徴とする照明器具。
【請求項２】
ランプを覆うグローブと、このグローブを支持するためにソケットの外周に螺合するソケットリングとを有し、このソケットリングにおけるソケットへのランプの螺入方向の端部にフランジ部が形成され、一方、前記グローブにおけるソケットへのランプの螺進入方向端部には開口部が形成されており、前記ソケットリングをソケットの外周に螺合させる際に、前記グローブが、前記開口部の外縁部と、前記フランジ部とカバーにおけるソケットへのランプの螺退出方向の端面と、により狭持されることを特徴とする請求項１記載の照明器具。
【請求項３】
アダプタ側又はカバー側の係合部に、係合解除機構を備えたことを特徴とする請求項１又は２記載の照明器具。
【考案の詳細な説明】
【技術分野】
【０００１】
本考案は、グローブを取り付ける際に、カバーも同時に手で保持する必要がなく、容易に取り付けることができる照明器具に関する。
【背景技術】
【０００２】
例えば天井に設けた引っ掛けシーリングタイプの配線器具に、電気的かつ物理的に接続されるアダプタを取り付けて、このアダプタに設けられたソケットにランプを螺入して取り付ける照明器具が知られている。
【０００３】
この種の照明器具において、本願と同等の目的を達成する構成とされた先行文献は発見できなかったが、従来、図２の構成のものが既に製造・販売されている。図２に示す照明器具は次の構成とされている。
【０００４】
図２において、Ｓは、端部にソケット部Ｓａを有したランプである。１１は、上記アダプタであり、このアダプタ１１にはランプＳが螺入されるソケット１１Ａ、及びいわゆる豆球１１ａが設けられている。ソケット１１Ａは外周に後述するソケットリング１４が螺合し、内周に上記ランプＳのソケット部Ｓａが螺合する。
【０００５】
１２は、アダプタ１１の前記ソケット１１Ａと豆球１１ａを含むアダプタ１１全体を覆うカバーである。カバー１２は、ソケット１１Ａが覗く開口１２Ａと、豆球１１ａを露出する開口１２ａとが設けられている。
【０００６】
１３は、ソケット１１Ａに螺入されるランプＳの側面部を覆うためのグローブである。このグローブ１３は、筒状体とされ、ランプＳの螺退出方向には開口部１３Ａが、ランプＳの螺進入方向にはソケット１１Ａが若干突出する程度の径とされた開口部１３Ｂが、各々形成されている。
【０００７】
１４は、カバー１２及びグローブ１３を、アダプタ１１のソケット１１Ａに支持するためのソケットリングであり、ソケット１１Ａの外周に螺合する螺合部１４Ａと、この螺合部１４ＡのランプＳの螺入方向端部に形成されたフランジ部１４Ｂとを有する。
【０００８】
ソケットリング１４は、フランジ部１４Ａをグローブ１３の前記開口部１３Ｂの外縁部に当接させ、螺合部１４Ａをソケット１１Ａの外周に螺入することで、カバー１２及びグローブ１３をアダプタ１１に支持する。
【考案の開示】
【考案が解決しようとする課題】
【０００９】
しかしながら、図２に示す上記構成の従来の照明器具は、ソケットリング１４をソケット１１Ａの外周へ螺入することによって、ソケットリング１４のフランジ部１４Ａで、カバー１２及びグローブ１３をアダプタ１１に同時に支持する構成となっていたので、照明器具を取り付ける際、特にグローブ１３を取り付ける際には、該グローブ１３と共にカバー１２も同時に手で保持する必要があり、ソケットリング１４で支持するまでは手を離すことができず取り付けが不便であった。
【００１０】
要するに、本考案が解決しようとする問題は、従来の照明器具では、グローブを取り付ける際には、カバーも手で保持する必要があり、ソケットリングで支持するまでは手を離すことができず取り付けの作業性に難がある点、である。
【課題を解決するための手段】
【００１１】
上記問題を解決するために、本考案の照明器具は、取付面に設けられた配線器具に電気的かつ物理的に接続され、ランプが螺合されるソケットが設けられたアダプタと、このアダプタ全体を覆うカバーの内部とに、互いを係合するための係合部を設けることとした。
【考案の効果】
【００１２】
本考案に係る照明器具は、上記構成とすることで、グローブを取り付ける際に、係合部により、先にカバーをアダプタに取り付けておくことができるから、カバーとアダプタとを同時に手で保持する必要がなくなり、取り付けようとするグローブだけを（片）手で保持すればよいから、取り付けが容易となる。
【考案を実施するための最良の形態】
【００１３】
本考案は、例えば図１に示す形態により実施可能である。本形態における照明器具１は、例えば、次の構成とされている。Ｓは、本形態の照明器具１に用いられ、端部がねじ状のソケット部Ｓａを有したランプである。
【００１４】
２は、例えば天井に設けた不図示の引っ掛けシーリングタイプの配線器具に、電気的かつ物理的に接続されるアダプタである。このアダプタ２には、その内周に上記ランプＳが、その外周に後述ソケットリング５が、各々螺入されるソケット２Ａが設けられている。なお、本形態におけるアダプタ２には、いわゆる豆球２Ｂが設けられている。
【００１５】
また、アダプタ２には、例えば本形態では、係止片２ａ，２ｂが設けられている。係止片２ａは、板状部材の一部をランプＳの螺進退方向に折曲し、この折曲した側に開口２ｃを形成している。係止片２ａのソケット２Ａの径方向に対向させて設けられた係止片２ｂは、板状部材をランプＳの螺進退方向に対して直交方向に突出させてなる。
【００１６】
３は、アダプタ２の前記ソケット２Ａと本形態においては豆球２ａを含むアダプタ２全体を覆うカバーである。カバー３は、（豆球２ａを覆う部位を除いて）有底筒状体とされ、この底部にソケット２Ａが覗く開口３Ａ、及びこの側面部の底部に豆球２Ｂを露出する開口３Ｂ、が各々設けられている。
【００１７】
また、カバー３の内底部には、上記係止片２ａ，２ｂと係合する爪部３ａ，３ｂが設けられている。アダプタ２の係止片２ａ，２ｂと、カバー３の爪部３ａ，３ｂとにより、アダプタ２とカバー３の互いを係合するための本考案で言う係合部が構成される。
【００１８】
爪部３ａは、棒状の先端部に開口２ｃと係合する爪が形成されており、また、係止片２ａに対応する位置におけるカバー３の底面からは棒状の底部が露出している。また、爪部３ａは、棒状の途中部位に不図示の支点が設けられている。
【００１９】
すなわち、この爪部３ａは、棒状の底部を操作することで、支点を中心として先端部が、アダプタ２の開口２ｃに対して係合したり、解除されたりする係合解除機構を構成する。この係合解除機構を設けることで、カバー３とアダプタ２の係合の有無が操作上も明確となり、不用意にカバー３がアダプタ２から落下することを防止することができる。
【００２０】
爪部３ｂは、棒状の先端部に係止片２ｂと係合する爪が形成されており、また、係止片２ｂに対応する位置おけるカバー３の底面上に形成されている。なお、この爪部３ｂと係止片２ｂとによって、前記係合解除機構を構成するようにしてもよいし、爪部３ａと係止片２ａ、爪部３ｂと係止片２ｂの両者に係合解除機構を構成してもよい。
【００２１】
４は、ランプＳの側面部を覆うためのグローブである。このグローブ４は、ランプＳの螺退出方向の端面に開口部４Ａが、ランプＳの螺進入方向の端面には後述するソケットリング５のフランジ部５Ｂの外径より小径とされるがソケット２Ａが突出する程度の径の開口部４Ｂが、各々形成されている。
【００２２】
５は、（カバー３及び）グローブ４を、ソケット２Ａに支持するためのソケットリングである。このソケットリング５は、ソケット２Ａの外周に螺合する螺合部５Ａと、この螺合部５ＡのランプＳの螺入方向端部に形成されたフランジ部５Ｂとを有する。フランジ部５Ｂには、螺合部５Ａと連通する開口が形成されている。
【００２３】
上記構成の照明器具１は、次のようにして例えば天井面に取り付けられる。まず、天井面に設けられた不図示の配線器具に、アダプタ２を取り付ける。次に、爪部３ａ，３ｂと係止片２ａ，２ｂとを係合させて、アダプタ２にカバー３を取り付ける。これ以降、カバー３は、手で保持する必要がなくなる。
【００２４】
その後、グローブ４を（片）手で保持し、開口部４Ａからソケットリング５をグローブ４内に挿入して、開口部４Ｂ及び開口３Ａから覗くソケット２Ａの外周に該ソケットリング５を螺合する。これにより、ソケットリング５のフランジ部５Ｂと、カバー３の開口３Ａの外縁部とにより、グローブ４の開口部４Ｂの外縁部が狭持される。
【００２５】
そして、ランプＳを、螺合部５Ａ、開口部４Ｂ、開口３Ａ、を介してソケット２Ａの内周に螺合する。以上の作業により天井面に照明機器１を取り付け作業が完了する。また、取り外す際には、上記の逆の手順を行うが、本形態の場合、カバー３をアダプタ２から取り外すには爪３ａを操作して開口２ｃとの係合を解除する操作を要するので、この操作をするまでカバーを保持しておく必要がない。
【００２６】
このように、本考案の照明器具は、アダプタ２とカバー３とが、係合部（爪３ａ，３ｂと係止片２ａ，２ｂ）により互いに係合しているので、カバー３とグローブ４とを同時にソケットリング５により取り付けるまで両者を手で保持しておく必要がない。
【００２７】
すなわち、カバー３とグローブ４の取り付けを別々に行うことが可能となり、カバー３をアダプタ２に取り付けた後は、グローブ４のみを（片）手で保持して取り付けることができるから、作業性が向上する。
【図面の簡単な説明】
【００２８】
【図１】本考案の照明器具の構成を示す分解斜視図である。
【図２】従来の照明器具の構成を示す分解斜視図である。
【符号の説明】
【００２９】
１  照明器具
２  アダプタ
２Ａ  ソケット
２ａ，２ｂ  係止片
３  カバー
３Ａ  開口
３ａ，３ｂ  爪部
４  グローブ
４Ｂ  開口部
５  ソケットリング
５Ａ  螺合部
５Ｂ  フランジ部
Ｓ  ランプ
Ｓａ  ソケット部
【図１】
0003132571.tif 000003
【図２】
0003132571.tif 000004